(57)【要約】【課題】アース用金具の取り付け位置に対する位置決め及び回転止めの形状及び配置位置が場所ごとに異なる場合であっても同一形状のアース用金具で対応できるようにする。【解決手段】制御基板とケース裏蓋３０に配置された金属部品であるＬＣＤホルダ４０とを電気的に接続するアース用金具１０Ａは、ケース裏蓋３０に取り付ける取付け部１０ａと、該取付け部１０ａの側面から突き出し、且つその端部をＬＣＤホルダ４０と接触する接触部を有する突出し部１０ｂとを有している。取付け部１０ａには、互いの径がほぼ同一の少なくとも２つの孔部が設けられており、少なくとも２つの孔部の一方は取付け用の孔部である。【選択図】図５
2018010991.tif 000002
【特許請求の範囲】
【請求項１】
回路基板と筐体に配置された金属部品とを電気的に接続するアース用金具であって、
少なくとも前記筐体に取り付ける取付け部と、
前記取付け部の側面から突き出し、且つその端部を前記金属部品と接触する接触部を有する突出し部とを備え、
前記取付け部には、互いの径がほぼ同一の少なくとも２つの第１孔部及び第２孔部が設けられており、
少なくとも２つの前記第１孔部及び第２孔部の一方は取付け用の孔部であることを特徴とするアース用金具。
【請求項２】
請求項１に記載のアース用金具において、
前記取付け部における少なくとも一方の端部には、切欠き部が設けられていることを特徴とするアース用金具。
【請求項３】
請求項２に記載のアース用金具において、
前記切欠き部の平面形状は、半円形状であることを特徴とするアース用金具。
【請求項４】
請求項３に記載のアース用金具において、
前記切欠き部の径は、前記第１孔部及び第２孔部よりも小さいことを特徴とするアース用金具。
【請求項５】
請求項１〜４のいずれか１項に記載のアース用金具において、
前記突出し部における長手方向の中心線は、前記第１孔部の中心及び第２孔部の中心を結ぶ線分の垂直二等分線であることを特徴とするアース用金具。
【請求項６】
請求項１〜５のいずれか１項に記載のアース用金具において、
前記筐体は、樹脂材により構成されていることを特徴とするアース用金具。
【請求項７】
請求項１〜６のいずれか１項に記載のアース用金具を用いたカメラ装置。
【発明の詳細な説明】
【技術分野】
【０００１】
本発明は、回路基板と筐体等とのアースを取るためのアース用金具及びそれを用いたカメラ装置に関する。
【背景技術】
【０００２】
例えば、樹脂からなる筐体内に回路基板を備える電子機器においては、回路基板の帯電を防ぐために、回路基板から筐体内に設けた金属部品に対してアースを取る場合がある。この場合、回路基板と金属部品との電気的な接続には、複数のアース用金具が用いられる。
【０００３】
各アース用金具は、取り付け時に、それぞれの取り付け位置を確実に決めておかないと、アース用金具の位置にずれが生じ、製造後に所望のアースを取れなくなるおそれがある。
【０００４】
そこで、下記の特許文献１には、取付け孔４ｄとは別に、位置決め用突起（回転止め）４ｂを設ける構成が提案されている。
【先行技術文献】
【特許文献】
【０００５】
【特許文献１】特開２００９−０５５０７０号公報
【発明の概要】
【発明が解決しようとする課題】
【０００６】
しかしながら、前記従来のアース用金具は、その取り付け位置に対する相体的な位置決めの設定位置及び回転止めの設定位置がそれぞれ異なる場合には、アース用金具をその取り付け位置ごとに異なる形状とする必要がある。従って、アース用金具の取り付け位置ごとに、該アース用金具を用意しなければならないという問題がある。
【０００７】
本発明は、前記従来の問題を解決し、アース用金具の取り付け位置に対する位置決め及び回転止めの形状及び配置位置が場所ごとに異なる場合であっても、同一形状のアース用金具で対応できるようにすることを目的とする。
【課題を解決するための手段】
【０００８】
前記の目的を達成するため、第１の発明は、回路基板と筐体に配置された金属部品とを電気的に接続するアース用金具を対象とし、少なくとも筐体に取り付ける取付け部と、取付け部の側面から突き出し、且つその端部を金属部品と接触する接触部を有する突出し部とを備え、取付け部には、互いの径がほぼ同一の少なくとも２つの第１孔部及び第２孔部が設けられており、少なくとも２つの第１孔部及び第２孔部の一方は取付け用の孔部である構成とする。
【０００９】
これによれば、取付け部には、互いの径がほぼ同一の少なくとも２つの第１孔部及び第２孔部が設けられており、少なくとも２つの第１孔部及び第２孔部の一方は取付け用の孔部である。従って、他方の孔部を位置決め用又は回転止めに用いることができるので、アース用金具の取り付け位置に対する位置決め及び回転止めの各設定位置が場所ごとに異なる場合であっても、互いの径がほぼ同一の第１孔部及び第２孔部は、取付け用と位置決め又は回転止め用との機能を互いに入れ替えることができるので、アース用金具をただ１種類の形状とすることが可能となる。
【００１０】
第２の発明は、上記第１の発明において、取付け部における少なくとも一方の端部には、切欠き部が設けられていてもよい。
【００１１】
これによれば、第１孔部及び第２孔部の一方を位置決め用又は回転止め用とすることができない場所であっても、その機能を切欠き部に持たせることができるので、当該アース用金具の汎用性を高めることができる。
【００１２】
第３の発明は、上記第２の発明において、切欠き部の平面形状は、半円形状であってもよい。
【００１３】
これによれば、切欠き部が、位置決め用又は回転止め用の部材（ボス等）の形状に因らずに、該部材に嵌まりやすくなる。
【００１４】
第４の発明は、上記第３の発明において、切欠き部の径は、第１孔部及び第２孔部よりも小さくてもよい。
【００１５】
これによれば、位置決め又は回転止めの機能を維持しつつ、取付け部の面積（平面積）を小さくすることができる。また、第１孔部及び第２孔部との区別が容易となる。
【００１６】
第５の発明は、上記第１〜４の発明において、突出し部における長手方向の中心線は、第１孔部及び第２孔部の中心同士を結ぶ線分の垂直二等分線であってもよい。
【００１７】
これによれば、アース用金具の平面視における対称性が上がるので、当該アース用金具の汎用性を高めることができる。
【００１８】
第６の発明は、上記第１〜５の発明において、筐体は、樹脂材により構成されていてもよい。
【００１９】
これによれば、筐体が樹脂材により構成されている場合でも、回路基板のアースを筐体に配置された金属部品と取ることができる。
【００２０】
第７の発明は、上記第１〜７の発明に係るアース用金具を用いたカメラ装置である。
【発明の効果】
【００２１】
本発明によれば、アース用金具の取り付け位置に対する位置決め及び回転止めの形状及び配置位置が場所ごとに異なる場合であっても、同一形状のアース用金具で対応することができる。
【図面の簡単な説明】
【００２２】
【図１】図１は本発明の一実施形態に係るアース用金具を示す平面図である。
【図２】図２は本発明の一実施形態に係るアース用金具を示す正面図である。
【図３】図３は本発明の一実施形態に係るアース用金具を示す左側面図である。
【図４】図４は本発明の一実施形態に係るアース用金具をカメラ装置等の電子装置に使用した例を示す部分的な分解斜視図である。
【図５】図５は第１実施例に係るアース用金具の取付け例を示す部分拡大斜視図である。
【図６】図６は図５のアース用金具を取り付ける工程を示す部分拡大斜視図である。
【図７】図７は第２実施例に係るアース用金具の取付け例を示す部分拡大斜視図である。
【図８】図８は図７のアース用金具を取り付ける工程を示す部分拡大斜視図である。
【図９】図９は第３実施例に係るアース用金具の取付け例を示す部分拡大斜視図である。
【図１０】図１０は図９のアース用金具を取り付ける工程を示す部分拡大斜視図である。
【図１１】図１１は第４実施例に係るアース用金具の取付け例を示す部分拡大斜視図である。
【図１２】図１２は図１１のアース用金具を取り付ける工程を示す部分拡大斜視図である。
【図１３】図１３は本発明のアース用金具を用いた第５実施例に係るカメラ装置を示す分解斜視図である。
【発明を実施するための形態】
【００２３】
（一実施形態）
本発明の一実施形態について図面を参照しながら説明する。
【００２４】
図１〜図３は本発明の一実施形態に係るアース用金具であって、図１は平面構成を示し、図２は正面構成を示し、図３は左側面構成を示している。
【００２５】
図１〜３に示すように、本実施形態に係るアース用金具１０は、平面ほぼ長方形状で板状の取付け部１０ａと、該取付け部１０ａの長辺の側面から下方に屈曲した段付き状態で外側に突き出す突出し部１０ｂとを有している。突出し部１０ｂの端部には、斜め下方にさらに屈曲し、アース対象となる金属部品（図示せず）と接触する接触部１０ｃが設けられている。ここで、接触部１０ｃにおける突出し部１０ｂに対する角度は、例えば、９０°よりも大きく１８０°よりも小さくてもよい。さらに、本実施形態においては、接触部１０ｃの端部には、内側にさらに屈曲する当接部が設けられていてもよい。
【００２６】
取付け部１０ａには、それぞれの中心位置が取付け部１０ａの長辺に平行に配置され、互いの径がほぼ同一の第１孔部１０ｄ及び第２孔部１０ｅが設けられている。第１孔部１０ｄ及び第２孔部１０ｅのうち一方はねじの取付け用であり、その他方はアース用金具１０の位置決め用又は回転止め用である。なお、互いの径がほぼ同一であることから、ねじの取付け用途と、位置決め用途又は回転止め用途とは互いに入れ替えることができる。
【００２７】
突出し部１０ｂにおける長手方向の中心線は、第１孔部１０ｄ及び第２孔部１０ｅの中心同士を結ぶ線分の垂直二等分線である。
【００２８】
このように、第１孔部１０ｄ及び第２孔部１０ｅの開口径をほぼ同一とし、突出し部１０ｂの長手方向の中心線を第１孔部１０ｄ及び第２孔部１０ｅの中心同士を結ぶ線分の垂直二等分線としているため、アース用金具１０の平面視における対称性が上がるので、当該アース用金具１０の汎用性を高めることができる。
【００２９】
また、取付け部１０ａの両方の端部（短辺）には、位置決め用又は回転止め用の第１切欠き部１０ｆ及び第２切欠き部１０ｇが設けられていてもよい。このようにすると、第１孔部１０ｄ及び第２孔部１０ｅを位置決め用又は回転止め用とすることができない場所であっても、その機能を切欠き部１０ｆ、１０ｇに持たせることができるので、アース用金具１０の汎用性をより高めることができる。なお、第１切欠き部１０ｆ及び第２切欠き部１０ｇは、いずれか一方のみを設けてもよい。
【００３０】
また、切欠き部１０ｆ、１０ｇの平面形状は、入口の幅とその奥の幅とがほぼ同等か又は奥の幅が小さければ問題はなく、例えば半円形状であってもよい。このようにすると、切欠き部１０ｆ、１０ｇが、位置決め用又は回転止め用のボス等の部材の形状に因らずに嵌まりやすくなるので、取り付け作業の効率化を図ることができる。
【００３１】
また、切欠き部１０ｆ、１０ｇの径は、第１孔部１０ｄ及び第２孔部１０ｅよりも小さくてもよい。このようにすると、切欠き部１０ｆ、１０ｇは、位置決め又は回転止めの機能を維持しつつ、取付け部１０ａの面積（平面積）を小さくすることができ、すなわち、アース用金具１０の小型化及び軽量化を図ることができる。また、切欠き部１０ｆ、１０ｇの、第１孔部１０ｄ及び第２孔部１０ｅとの区別が容易となる。
【００３２】
なお、アース用金具１０には、金属を用いることができるが、突出し部１０ｂの接触部１０ｃは、アース対象の部材とは弾性（ばね）力で接触するため、ステンレス等を用いることができる。
【００３３】
図４に本実施形態に係るアース用金具１０をカメラ装置等の電子装置に使用した例を示す。図４においては、その裏面を手前に向けた状態の液晶パネル（ＬＣＤ）２０と、該液晶パネル２０の後部が嵌まる開口部３０ａを有する筐体である外装ケースのケース裏蓋３０と、液晶パネル２０を開口部３０ａに嵌めた状態で該液晶パネル２０をケース裏蓋３０に保持する金属部品であるＬＣＤホルダ４０とを表している。
【００３４】
液晶パネル２０の裏面には、例えば、ＬＣＤドライバ２１とフレキシブル配線２２等が設けられている。
【００３５】
ケース裏蓋３０の内側の上部には、後述するケース上蓋を取り付けるための取付け金具３８がねじ１１により保持される。また、ケース裏蓋３０のグリップ部３０ｂの内側には、後述するケース本体を取り付けるための取付け金具３９と、液晶パネル２０の表示状態の調整又は表示モードの変更等を行うダイアル３３とが、ねじ１１によりそれぞれ設けられる。
【００３６】
図４に示すように、液晶パネル２０の裏面の左上角部の外側部分において、第１のアース用金具１０Ａは、液晶パネル２０の周縁部と接触すると共に、第１のねじ１１Ａによって、ケース裏蓋３０にＬＣＤホルダ４０と共締めされる。
【００３７】
液晶パネル２０の裏面の左下角部の外側部分において、第２のアース用金具１０は、液晶パネル２０の周縁部と接触すると共に、第２のねじ１１Ｂによって、ケース裏蓋３０にＬＣＤホルダ４０と共締めされる。
【００３８】
液晶パネル２０の裏面の右上角部の外側部分において、第３のアース用金具１０Ｃは、ケース裏蓋３０に第３のねじ１１ＣによってＬＣＤホルダ４０と共締めされる。
【００３９】
また、液晶パネル２０の裏面の右下角部の外側部分において、第４のアース用金具１０Ｄは、ケース裏蓋３０に第４のねじ１１ＤによってＬＣＤホルダ４０と共締めされる。
【実施例】
【００４０】
（第１実施例）
図５は第１実施例であって、上記の第１のアース用金具１０Ａが取り付けられた状態を拡大して表している。図５及び図６を含め、以下の各実施例においては、図１〜図４に記載の構成部材と同一の構成部材には同一の符号を付すことによりその説明を省略する。
【００４１】
図５に示すように、第１のアース用金具１０Ａは、液晶パネル２０の裏面の左上角部の外側部分において、その突出し部１０ｂが液晶パネル２０の導体からなる周縁部と接触した状態で、ケース裏蓋３０に第１のねじ１１ＡによってＬＣＤホルダ４０と共締めされている。
【００４２】
図６は、第１のアース用金具１０Ａの取り付け工程であって、第１のアース用金具１０Ａを取付け位置に載置した状態を示す。図６に示すように、第１のアース用金具１０Ａの第１孔部１０ｄは、ねじ穴を有する取付けボス３１の上に位置し、第２孔部１０ｅは、ほぼ円筒状の円筒ボス３２の上に位置する。また、第１のアース用金具１０Ａの第２切欠き部１０ｇは、平面Ｌ字状の複合ボス３３の内側の側面に形成された半円柱状部分の上に位置する。本実施例においては、第１のアース用金具１０Ａの位置決めと回転止めとの機能は、複合ボス３３の内側の側面によって果たされる。この場合、円筒ボス３２の上端部を第２孔部１０ｄが嵌まる形状としてもよく、また、複合ボス３３の側面上の半円柱状部分の上端部を第２切欠き部１０ｇが嵌まる形状としてもよい。
【００４３】
なお、取付けボス３１、円筒ボス３２及び複合ボス３０ｅは、近接している場合に、互いに補強リブによって接続されている。以下の実施例でも同様である。
（第２実施例）
図７は第２実施例であって、上記の第２のアース用金具１０Ｂが取り付けられた状態を拡大して表している。
【００４４】
図７に示すように、第２のアース用金具１０Ｂは、液晶パネル２０の裏面の左下角部の外側部分において、その突出し部１０ｂが液晶パネル２０の導体からなる周縁部と接触した状態で、ケース裏蓋３０に第２のねじ１１ＢによってＬＣＤホルダ４０と共締めされている。
【００４５】
図８は、第２のアース用金具１０Ｂの取り付け工程であって、第２のアース用金具１０Ｂを取付け位置に載置した状態を示す。図８に示すように、第２のアース用金具１０Ｂの第２孔部１０ｅは、取付けボス３１の上に位置し、第１孔部１０ｄは、円筒ボス３２の上端部に嵌まっている。また、第２のアース用金具１０Ｂにおける第１切欠き部１０ｆ側の短辺を含む角部は、平面Ｌ字状のＬ字ボス３４によって挟まれている。本実施例においては、第２のアース用金具１０Ｂの位置決め機能は、第１孔部１０ｄにその上部が嵌まる円筒ボス３２によって果たされる。また、第２のアース用金具１０Ｂの回転止め機能は、該第２のアース用金具１０Ｂの角部を挟むＬ字ボス３４によって果たされる。
（第３実施例）
図９は第３実施例であって、上記の第３のアース用金具１０Ｃが取り付けられた状態を拡大して表している。
【００４６】
図９に示すように、第３のアース用金具１０Ｃは、液晶パネル２０の裏面の右上角部の外側部分において、その突出し部１０ｂが放熱板５０の爪部５０ｂと接触した状態で、ケース裏蓋３０に第３のねじ１１ＣによってＬＣＤホルダ４０と共締めされている。
【００４７】
図１０は、第３のアース用金具１０Ｃの取り付け工程であって、第３のアース用金具１０Ｃを取付け位置に載置した状態を示す。図１０に示すように、第３のアース用金具１０Ｃの第１孔部１０ｄは、取付けボス３１の上に位置し、第２孔部１０ｅは、円筒ボス３４の上端部に嵌まっている。また、第３のアース用金具１０Ｃの第２切欠き部１０ｇは、円筒ボス３２の上端部に嵌まっている。本実施例においては、第３のアース用金具１０Ｃの位置決め機能は、第２切欠き部１０ｇにその上部が半円状に嵌まる円筒ボス３２によって果たされる。また、第３のアース用金具１０Ｃの回転止め機能は、第２孔部１０ｅにその上部が嵌まる円筒ボス３４によって果たされる。
【００４８】
なお、本実施例においては、第１孔部１０ｄを位置決めに用いる第２実施例とは異なり、位置決め機能を第２切欠き部１０ｇに持たせているのは、設計の都合上、円筒ボス３２に部品の位置決め精度を持たせているためである。一般に、位置決め用の部材は、回転止め用の部材よりも隙間（クリアランス）が小さい。
（第４実施例）
図１１は第４実施例であって、上記の第４のアース用金具１０Ｄが取り付けられた状態を拡大して表している。
【００４９】
図１１に示すように、第４のアース用金具１０Ｄは、液晶パネル２０の裏面の右下角部の外側部分において、その突出し部１０ｂが、金属からなる底部導体板７２の爪部７２ａと接触した状態で、ケース裏蓋３０に第４のねじ１１ＤによってＬＣＤホルダ４０と共締めされている。ここで、底部導体板７２は、例えば、ケースの底板上に配設される。
【００５０】
図１２は、第４のアース用金具１０Ｄの取り付け工程であって、第４のアース用金具１０Ｄを取付け位置に載置した状態を示す。図１２に示すように、第４のアース用金具１０Ｄの第１孔部１０ｄは、取付けボス３１の上に位置し、第２切欠き部１０ｇは、円筒ボス３２の上端部に嵌まっている。また、第４のアース用金具１０Ｄにおける第１切欠き部１０ｆ側の短辺、及び突出し部１０ｂの反対側の長辺は、それぞれ内側に突き出す突起ボス３５と当接している。本実施例においては、第４のアース用金具１０Ｄの位置決め機能は、第２切欠き部１０ｇにその上部が半円状に嵌まる円筒ボス３２によって果たされる。また、第４のアース用金具１０Ｄの回転止め機能は、第４のアース用金具１０Ｄの取付け部１０ａの長辺及び短辺と当接する２つの突起ボス３５によって果たされる。
【００５１】
以上説明したように、本発明に係るアース用金具１０は、その取付け部１０ａに設けられた、径がほぼ同一の２つの孔部１０ｄ、１０ｅの一方の孔部がねじ止め、すなわち取り付け用となる場合には、他方の孔部は位置決め用となる。この場合、該孔部１０ｄ、１０ｅは平面円形状であるため、ねじ止め作業中にアース用金具１０が回転する場合があり、回転止め用のボス等が必要となる。本発明に係る各実施例においては、上述したように、アース用金具１０は、孔部１０ｄ、１０ｅ同士に限られず、切欠き部１０ｆ、１０ｇとの間でも、位置決め機能と回転止め機能とを互いに入れ替えることができる。
【００５２】
これにより、アース用金具１０の取り付け位置に対する位置決め及び回転止めの各設定位置が場所ごとに異なる場合であっても、同一形状のアース用金具１０で対応することが可能となる。その結果、アース用金具１０の設計及び製造が効率化されるので、アース用金具の製造コスト、ひいては、それを用いる電子装置等の製造コストの低減を図ることができる。
（第５実施例）
図１３は上記のアース用金具を用いた第５実施例に係るカメラ装置の分解図であって、該カメラ装置におけるアース線の接続状態を概略的に表している。
【００５３】
図１３において、液晶パネル２０、ケース裏蓋３０及びＬＣＤホルダ４０は、図４で説明した構成部材と同一である。本実施例は、図４に示した液晶パネル２０とそれを保持する内部部材であるＬＣＤホルダ４０とを収容する、例えば樹脂材からなる筐体の一部であるケース裏蓋３０をカメラ装置１００に用いた例である。
【００５４】
図１３に示すように、カメラ装置１００において、撮像素子６１及び画像処理プロセッサ等を搭載し且つ放熱板５０を当接した状態で保持する制御基板６０は、上述したＬＣＤホルダ４０に当接される。カメラ群を保持する共に、例えばオートフォーカスの駆動機構を内蔵する鏡筒９０は、筐体の一部であるケース本体７０のマウント７１に脱着可能に保持される。ケース本体７０は、ケース裏蓋３０と共にケース上蓋８０によってねじ止めされる。
【００５５】
ケース本体７０には、グリップ部７０ａと反対側の側部の底面上に底部導体板７２が設けられている。また、ケース上蓋８０におけるグリップ部７０ａの上側部分には、レリーズボタン（シャッタボタン）８１と、シャッタ速度、絞り（Ｆ）値及び撮影モード等を変更可能な各種ダイアル８２とが配設されている。また、ケース上蓋８０におけるマウント７１の上側部分には、ストロボ等のアクセサリを取り付け可能なホットシュー８３が配設されている。
【００５６】
次に、カメラ装置１００のアース配線（アース経路）を説明する。
【００５７】
制御基板６０は、撮像素子６１が搭載された領域の２箇所でねじ止めされて、それぞれ、経路１及び経路２を形成する。放熱板５０の爪部５０ａにおいて、その裏面（制御基板６０側）が制御基板６０の側部と係合する共に、その表面がＬＣＤホルダ４０と当接して、経路３を形成する。
【００５８】
また、上述したように、ＬＣＤホルダ４０の左上角部は、液晶パネル２０との間で、第１のアース用金具１０Ａを介して経路４を形成し、ＬＣＤホルダ４０の左下角部は、液晶パネル２０との間で、第２のアース用金具１０Ｂを介して経路５を形成する。一方、ＬＣＤホルダ４０の右上角部は、放熱板５０の爪部５０ｂとの間で、第３のアース用金具１０Ｃを介して経路６を形成する。さらに、ＬＣＤホルダ４０の右下角部は、底部導体板７２との間で、第４のアース用金具１０Ｄを介して経路７を形成する。
【００５９】
このように、本実施例に係るカメラ装置１００は、制御基板６０と放熱板５０とが経路１及び経路２によってアースされ、放熱板５０とＬＣＤホルダ４０とが経路３及び経路６によってアースされる。また、ＬＣＤホルダ４０と液晶パネル２０とが経路４及び経路５によってアースされる。さらに、ＬＣＤホルダ４０と底部導体板７２とが経路７によってアースされる。
【００６０】
従って、それぞれ電気回路を含む制御基板６０及び液晶パネル２０は、金属部品であるＬＣＤホルダ４０を介して、共に底部導体板７２にアースされる。
【００６１】
また、カメラ装置１００における筐体の少なくとも一部が金属からなる場合には、該アース経路の設定は、より容易となる。
【００６２】
なお、本実施例に係るカメラ装置１００は、レンズ交換式カメラを例に挙げたが、レンズ交換式カメラに限られず、レンズ固定式カメラであってもよい。また、レンズ交換式で反射ミラーを搭載したデジタル一眼レフカメラであってもよい。また、本発明は、アース用金具１０に特徴を有することから、スチルカメラに限られず、ビデオカメラであってもよい。従って、カメラ機能が搭載されていれば、携帯機器であってもよい。
【００６３】
さらに、カメラ機能は、電子装置の一例、特に筐体が樹脂材からなる場合の電子装置の一例であり、本発明は、アース用金具を用いる電子装置一般に適用が可能である。
【００６４】
すなわち、以上の好ましい実施形態及び各実施例の説明は、本質的に例示に過ぎず、本発明、その適用物又はその用途を制限することを意図しない。また、本発明を逸脱しない範囲での種々の変形は許容される。
【産業上の利用可能性】
【００６５】
本発明に係るアース用金具は、位置決め及び回転止め等の形状及び配置位置が場所ごとに異なる状況であっても同一形状の金具で対応でき、電子装置に有用である。
【符号の説明】
【００６６】
１０    アース用金具
１０ａ  取付け部
１０ｂ  突出し部
１０ｃ  接触部
１０ｄ  第１孔部
１０ｅ  第２孔部
１０ｆ  第１切欠き部
１０ｇ  第２切欠き部
２０    液晶パネル（金属部品）
３０    ケース裏蓋（筐体）
４０    ＬＣＤホルダ（金属部品）
５０    放熱板（金属部品）
６０    制御基板（回路基板）
７０    ケース本体（筐体）
７２    底部導体板（金属部品）
８０    ケース上蓋（筐体）
１００  カメラ装置
【図１】
2018010991.tif 000003
【図２】
2018010991.tif 000004
【図３】
2018010991.tif 000005
【図４】
2018010991.tif 000006
【図５】
2018010991.tif 000007
【図６】
2018010991.tif 000008
【図７】
2018010991.tif 000009
【図８】
2018010991.tif 000010
【図９】
2018010991.tif 000011
【図１０】
2018010991.tif 000012
【図１１】
2018010991.tif 000013
【図１２】
2018010991.tif 000014
【図１３】
2018010991.tif 000015